(57)【要約】      （修正有）【課題】通信を開始するための準備時間を短縮することができる、伝送端末、通信方法、及びプログラムを提供する。【解決手段】伝送端末は、特定の宛先候補の通信ネットワークにおける宛先を示す特定の宛先情報の入力を受け付け（Ｓ２５−８）、この受け付けられた特定の宛先情報に基づいて、この特定の宛先情報で示される特定の宛先候補との通信を開始する。更に、伝送端末は、入力を受け付けた特定の宛先情報を記憶部１０００に記憶する（Ｓ２５−６）。これにより、利用者によって新たに入力された特定の宛先情報に基づいて、特定の宛先候補との通信が開始されるだけでなく、特定の宛先情報が記憶部１０００に記憶されるため、利用者が次回に特定の宛先候補との通信を開始したい場合には、わざわざ特定の宛先情報を入力せずに、記憶部１０００に記憶されている特定の宛先情報を選択すればよいため、通信を開始するための準備の時間を短縮することができる。【選択図】図１１
2015056860.tif 000002
【特許請求の範囲】
【請求項１】
所定の宛先候補と通信を行う伝送端末であって、
前記所定の宛先候補の通信ネットワークにおける宛先を示す所定の宛先情報を記憶する記憶手段と、
特定の宛先候補の前記通信ネットワークにおける宛先を示す特定の宛先情報の入力を受け付ける入力受付手段と、
前記入力受付手段によって受け付けられた前記特定の宛先情報に基づいて、当該特定の宛先情報で示される前記特定の宛先候補との通信を開始する通信開始手段と、
を有し、
前記記憶手段は、前記入力受付手段によって受け付けられた前記特定の宛先情報を記憶することを特徴とする伝送端末。
【請求項２】
請求項１に記載の伝送端末であって、
前記入力受付手段によって受け付けられた前記特定の宛先情報で示される前記特定の宛先候補との通信の開始を受け付ける開始受付手段を有し、
前記通信開始手段は、前記開始受付手段によって受け付けられた前記特定の宛先情報で示される前記特定の宛先候補との通信を開始することを特徴とする伝送端末。
【請求項３】
請求項１又は２に記載の伝送端末であって、
前記所定の宛先情報が示された第１の選択領域及び前記所定の宛先情報が示されていない第２の選択領域を表示手段に表示させる表示制御手段と、
前記第１又は第２の選択領域の選択を受け付ける選択受付手段と、を有し、
前記選択受付手段によって前記第２の選択領域の選択が受け付けられた場合には、前記表示制御手段は、前記特定の宛先情報が入力されるための入力欄を前記表示手段に表示させ、
前記入力受付手段は、前記入力欄に入力された前記特定の宛先情報の入力を受け付けることを特徴とする伝送端末。
【請求項４】
前記記憶手段は、前記所定の宛先情報と前記所定の宛先候補の名称である所定の宛先名とが関連付けられた所定の関連情報を記憶し、
前記入力受付手段は、前記特定の宛先候補の名称である特定の宛先名の入力を受け付け、
前記記憶手段は、前記入力受付手段によって受け付けられた前記特定の宛先情報と特定の宛先名とが関連付けられた特定の関連情報を記憶することを特徴とする請求項１乃至３のいずれか一項に記載の伝送端末。
【請求項５】
所定の宛先候補と通信を行う伝送端末が実行する通信方法であって、
前記伝送端末は、前記所定の宛先候補の通信ネットワークにおける宛先を示す所定の宛先情報を記憶する記憶手段を有し、
前記伝送端末は、  
特定の宛先候補の前記通信ネットワークにおける宛先を示す特定の宛先情報の入力を受け付ける入力受付ステップと、
前記入力受付ステップによって受け付けられた前記特定の宛先情報に基づいて、当該特定の宛先情報で示される前記特定の宛先候補との通信を開始する通信開始ステップと、
前記入力受付ステップによって受け付けられた前記特定の宛先情報を前記記憶手段に記憶する記憶処理ステップと、
を実行することを特徴とする通信方法。
【請求項６】
コンピュータに、請求項５に記載の方法を実行させるためのプログラム。
【発明の詳細な説明】
【技術分野】
【０００１】
本発明は、所定の宛先候補と通信を行う発明に関する。
【背景技術】
【０００２】
近年、出張経費及び出張時間を削減する要請に伴い、インターネット等の通信ネットワークを介してテレビ会議などを行う伝送システムが普及している。このような伝送システムでは、複数の伝送端末の間で通話を開始すると、画像データ及び音データの送受信が行われ、テレビ会議を実現することができる。
【０００３】
また、利用者が通話の宛先候補から所望の宛先端末を選択し易いようにするために、通話の開始要求元である開始端末側で宛先リストを表示することで、所望の宛先端末を利用者に選択させることもできる（特許文献１参照）。なお、利用者が、宛先リストに登録されていない宛先端末との通信を開始したい場合には、新たに宛先端末のＩＰアドレス等を入力することになる。
【発明の概要】
【発明が解決しようとする課題】
【０００４】
しかしながら、利用者が、次回に、上記新たな宛先端末と再び通信を開始したい場合には、わざわざ上記ＩＰアドレス等を再入力するか、又は、別途、宛先リストに登録するために上記ＩＰアドレスを入力する必要がある。よって、利用者にとっては、宛先リストに登録されていない宛先候補との通信を開始することが不便となるという課題が生じる。
【課題を解決するための手段】
【０００５】
請求項１に係る発明は、所定の宛先候補と通信を行う伝送端末であって、前記所定の宛先候補の通信ネットワークにおける宛先を示す所定の宛先情報を記憶する記憶手段と、特定の宛先候補の前記通信ネットワークにおける宛先を示す特定の宛先情報の入力を受け付ける入力受付手段と、前記入力受付手段によって受け付けられた前記特定の宛先情報に基づいて、当該特定の宛先情報で示される前記特定の宛先候補との通信を開始する通信開始手段と、を有し、前記記憶手段は、前記入力受付手段によって受け付けられた前記特定の宛先情報を記憶することを特徴とする伝送端末である。
【発明の効果】
【０００６】
以上説明したように本発明によれば、伝送端末は、特定の宛先候補の通信ネットワークにおける宛先を示す特定の宛先情報の入力を受け付け、この特定の宛先情報に基づいて、この特定の宛先情報で示される特定の宛先候補との通信を開始する。更に、伝送端末は、入力を受け付けた特定の宛先情報を記憶手段に記憶する。これにより、利用者によって新たに入力された特定の宛先情報に基づいて、特定の宛先候補との通信が開始されるだけでなく、特定の宛先情報が記憶手段に記憶されるため、利用者が次回に特定の宛先候補との通信を開始したい場合には、わざわざ特定の宛先情報を入力せずに、記憶手段に記憶されている特定の宛先情報を選択すればよいため、利用者の不便を解消することができるという効果を奏する。
【図面の簡単な説明】
【０００７】
【図１】図１は、本発明の一実施形態に係る伝送システムの概略図である。
【図２】図２は、伝送システムにおける画像データ、音データ、及び各種管理情報の送受信の状態を示した概念図である。
【図３】図３は、画像データの画質を説明する概念図である。
【図４】図４は、実施形態に係る伝送端末の外観図である。
【図５】図５は、実施形態に係る伝送端末のハードウェア構成図である。
【図６】図６は、実施形態に係る中継装置、伝送管理システム、プログラム提供システム、及びメンテナンスシステムのハードウェア構成図である。
【図７】図７は、本発明の一実施形態に係る伝送システムを構成する伝送端末及び伝送管理システムの機能ブロック図である。
【図８】図８は、宛先リスト管理テーブルを示す概念図である。
【図９】図９は、認証管理テーブルを示す概念図である。
【図１０】図１０は、伝送端末間で通話を開始する準備段階の処理を示したシーケンス図である。
【図１１】図１１は、宛先の選択受付処理を示したフロー図である。
【図１２】図１２は、宛先リスト画面の概念図である。
【図１３】図１３は、通信開始受付画面の概念図である。
【図１４】図１４は、宛先リスト管理テーブルを示す概念図である。
【図１５】図１５は、宛先リスト画面の概念図である。
【発明を実施するための形態】
【０００８】
以下、図面を用いて、本発明の一実施形態について説明する。
【０００９】
＜＜実施形態の全体構成＞＞
図１は、本発明の一実施形態に係る伝送システムの概略図である。図２は、伝送システムにおける画像データ、音データ、及び各種管理情報の送受信の状態を示した概念図である。図３は、画像データの画質を説明する概念図である。
【００１０】
また、伝送システム１には、複数の端末間で情報や感情等を相互に伝達するコミュニケーションシステムが含まれる。このコミュニケーションシステムは、コミュニケーション管理システム（本実施形態の「伝送管理システム」に相当）を介して複数のコミュニケーション端末（本実施形態の「伝送端末」に相当）間で情報や感情等を相互に伝達するためのシステムであり、テレビ（ビデオ）会議システム等が例として挙げられる。
【００１１】
まず、図１に示されている伝送システム１は、複数の伝送端末（１０ａａ，１０ａｂ，…）、各伝送端末（１０ａａ，１０ａｂ，…）用のディスプレイ（１２０ａａ，１２０ａｂ，…）、複数の中継装置（３０ａ，３０ｂ，３０ｃ，３０ｄ）、伝送管理システム５０、プログラム提供システム９０、及びメンテナンスシステム１００によって構築されている。
【００１２】
複数の伝送端末１０は、コンテンツデータの一例としての画像データ及び音データの送受信による伝送を行う。
【００１３】
なお、以下では、「伝送端末」を単に「端末」として表す。また、複数の端末（１０ａａ，１０ａｂ，…）のうち任意の端末は「端末１０」と表し、複数のディスプレイ（１２０ａａ，１２０ａｂ，…）のうち任意のディスプレイは「ディスプレイ１２０」と表し、複数の中継装置（３０ａ，３０ｂ，３０ｃ，３０ｄ）のうち任意の中継装置は「中継装置３０」と表している。更に、テレビ会議の開始を要求する要求元としての端末は「開始端末」と表され、要求先である宛先（中継先）としての端末は「宛先端末」と表されている。
【００１４】
また、図２に示されているように、伝送システム１において、開始端末と宛先端末との間では、伝送管理システム５０を介して、各種の管理情報を送受信するための管理情報用セッションｓｅｉが確立される。また、開始端末と宛先端末との間では、中継装置３０を介して、高解像度の画像データ、中解像度の画像データ、低解像度の画像データ、及び音データの４つの各データを送受信するための４つのセッションが確立される。ここでは、これら４つのセッションをまとめて、画像・音データ用セッションｓｅｄとして示している。
【００１５】
ここで、本実施形態で扱われる画像データの画像の解像度について説明する。図３（ａ）に示されているように、横が１６０画素、縦が１２０画素から成り、ベース画像となる低解像度の画像と、図３（ｂ）に示されているように、横が３２０画素、縦が２４０画素から成る中解像度の画像と、図３（ｃ）に示されているように、横が６４０画素、縦が４８０画素から成る高解像度の画像とがある。このうち、狭帯域経路を経由する場合には、ベース画像となる低解像度の画像データのみから成る低画質の画像データが中継される。帯域が比較的広い場合には、ベース画像となる低解像度の画像データ、及び中解像度の画像データから成る中画質の画像データが中継される。また、帯域が非常に広い場合には、ベース画質となる低解像度の画像データ、中画解像度の画像データ、及び高解像度の画像データから成る高画質の画像データが中継される。
【００１６】
図１に示されている中継装置３０は、複数の端末１０の間で、コンテンツデータの中継を行う。伝送管理システム５０は、端末１０からのログイン認証、端末１０の通話状況の管理、宛先リストの管理等、及び中継装置３０の通信状況等を一元的に管理する。なお、画像データの画像は、動画であっても静止画であってもよく、動画と静止画の両方であってもよい。
【００１７】
複数のルータ（７０ａ，７０ｂ，７０ｃ，７０ｄ，７０ａｂ，７０ｃｄ）は、画像データ及び音データの最適な経路の選択を行う。なお、以下では、ルータ（７０ａ，７０ｂ，７０ｃ，７０ｄ，７０ａｂ，７０ｃｄ）のうち任意のルータは「ルータ７０」と表されている。
【００１８】
プログラム提供システム９０は、後述のＨＤ(Hard Disk)２０４を備えており、端末１０に各種機能を実現させる（又は、端末１０を各種手段として機能させる）ための端末用プログラムが記憶され、端末１０に端末用プログラムを送信することができる。また、プログラム提供システム９０のＨＤ２０４には、中継装置３０に各種機能を実現させる（又は、中継装置３０を各種手段として機能させる）ための中継装置用プログラムも記憶されており、中継装置３０に、中継装置用プログラムを送信することができる。更に、プログラム提供システム９０のＨＤ２０４には、伝送管理システム５０に各種機能を実現させる（又は、伝送管理システム５０を各種手段として機能させる）ための伝送管理用プログラムも記憶されており、伝送管理システム５０に、伝送管理用プログラムを送信することができる。
【００１９】
メンテナンスシステム１００は、端末１０、中継装置３０、伝送管理システム５０、及びプログラム提供システム９０のうちの少なくとも１つの維持、管理、又は保守を行うためのコンピュータである。例えば、メンテナンスシステム１００が国内に設置され、端末１０、中継装置３０、伝送管理システム５０、又はプログラム提供システム９０が国外に設置されている場合、メンテナンスシステム１００は、通信ネットワーク２を介して遠隔的に、端末１０、中継装置３０、伝送管理システム５０、及びプログラム提供システム９０のうちの少なくとも１つの維持、管理、保守等のメンテナンスを行う。また、メンテナンスシステム１００は、通信ネットワーク２を介さずに、端末１０、中継装置３０、伝送管理システム５０、及びプログラム提供システム９０のうちの少なくとも１つにおける機種番号、製造番号、販売先、保守点検、又は故障履歴の管理等のメンテナンスを行う。
【００２０】
ところで、端末（１０ａａ，１０ａｂ，１０ａｃ，・・・）、中継装置３０ａ、及びルータ７０ａは、ＬＡＮ２ａによって通信可能に接続されている。端末（１０ｂａ，１０ｂｂ，１０ｂｃ，・・・）、中継装置３０ｂ、及びルータ７０ｂは、ＬＡＮ２ｂによって通信可能に接続されている。また、ＬＡＮ２ａ及びＬＡＮ２ｂは、ルータ７０ａｂが含まれた専用線２ａｂによって通信可能に接続されており、所定の地域Ａ内で構築されている。例えば、地域Ａは日本であり、ＬＡＮ２ａは東京の事業所内で構築されており、ＬＡＮ２ｂは大阪の事業所内で構築されている。
【００２１】
一方、端末（１０ｃａ，１０ｃｂ，１０ｃｃ，・・・）、中継装置３０ｃ、及びルータ７０ｃは、ＬＡＮ２ｃによって通信可能に接続されている。端末１０ｄ（ａ，１０ｄｂ，１０ｄｃ，・・・）、中継装置３０ｄ、及びルータ７０ｄは、ＬＡＮ２ｄによって通信可能に接続されている。また、ＬＡＮ２ｃ及びＬＡＮ２ｄは、ルータ７０ｃｄが含まれた専用線２ｃｄによって通信可能に接続されており、所定の地域Ｂ内で構築されている。例えば、地域Ｂはアメリカ合衆国であり、ＬＡＮ２ｃはニューヨークの事業所内で構築されており、ＬＡＮ２ｄはワシントンＤ．Ｃ．の事業所内で構築されている。地域Ａ及び地域Ｂは、それぞれルータ（７０ａｂ，７０ｃｄ）からインターネット２ｉを介して通信可能に接続されている。
【００２２】
また、伝送管理システム５０、及びプログラム提供システム９０は、インターネット２ｉを介して、端末１０、及び中継装置３０と通信可能に接続されている。伝送管理システム５０、及びプログラム提供システム９０は、地域Ａ又は地域Ｂに設置されていてもよいし、これら以外の地域に設置されていてもよい。
【００２３】
なお、本実施形態では、ＬＡＮ２ａ、ＬＡＮ２ｂ、専用線２ａｂ、インターネット２ｉ、専用線２ｃｄ、ＬＡＮ２ｃ、及びＬＡＮ２ｄによって、本実施形態の通信ネットワーク２が構築されている。この通信ネットワーク２には、有線だけでなく、WｉＦｉ（Wireless Fidelity）や、Ｂｌｕｅｔｏｏｔｈ（登録商標）等の無線による通信が行われる箇所があってもよい。
【００２４】
また、図１において、各端末１０、各中継装置３０、伝送管理システム５０、各ルータ７０、及びプログラム提供システム９０の下に示されている４組の数字は、一般的なＩＰｖ４におけるＩＰアドレスを簡易的に示している。例えば、端末１０ａａのＩＰアドレスは「１．２．１．３」である。また、ＩＰｖ４ではなく、ＩＰｖ６を用いてもよいが、説明を簡略化するため、ＩＰｖ４を用いて説明する。
【００２５】
なお、各端末１０は、複数の事業所間での通話や、同じ事業所内の異なる部屋間での通話だけでなく、同じ部屋内での通話や、屋外と屋内又は屋外と屋外での通話で使われてもよい。各端末１０が屋外で使われる場合には、携帯電話通信網等の無線による通信が行われる。
【００２６】
＜＜実施形態のハードウェア構成＞＞
まず、本実施形態のハードウェア構成を説明する。図４は、本実施形態に係る端末１０の外観図である。以下、端末１０の長手方向をＸ軸方向、水平面内でＸ軸方向に直交する方向をＹ軸方向、Ｘ軸方向及びＹ軸方向に直交する方向（鉛直方向）をＺ軸方向として説明する。
【００２７】
図４に示されているように、端末１０は、筐体１１００、アーム１２００、及びカメラハウジング１３００を備えている。このうち、筐体１１００の前側壁面１１１０には、複数の吸気孔によって形成された不図示の吸気面が設けられており、筐体１１００の後側壁面１１２０には、複数の排気孔が形成された排気面１１２１が設けられている。これにより、筐体１１００に内蔵された冷却ファンの駆動によって、不図示の吸気面を介して端末１０の後方の外気を取り込み、排気面１１２１を介して端末１０の後方へ排気することができる。筐体１１００の右側壁面１１３０には、収音用孔１１３１が形成され、後述する内蔵型のマイク１１４によって音声、物音、又は雑音等の音が収音可能となっている。
【００２８】
筐体１１００の右側壁面１１３０側には、操作パネル１１５０が形成されている。この操作パネル１１５０には、後述の複数の操作ボタン（１０８ａ〜１０８ｅ）、後述の電源スイッチ１０９、及び後述のアラームランプ１１９が設けられていると共に、後述の内蔵型のスピーカ１１５からの出力音を通すための複数の音出力孔によって形成された音出面１１５１が形成されている。また、筐体１１００の左側壁面１１４０側には、アーム１２００及びカメラハウジング１３００を収容するための凹部としての収容部１１６０が形成されている。筐体１１００の右側壁面１１３０には、後述の外部機器接続Ｉ／Ｆ１１８に対して電気的にケーブルを接続するための複数の接続口（１１３２ａ〜１１３２ｃ）が設けられている。一方、筐体１１００の左側壁面１１４０には、後述の外部機器接続Ｉ／Ｆ１１８に対して電気的にディスプレイ１２０用のケーブル１２０ｃを接続するための不図示の接続口が設けられている。
【００２９】
なお、以下では、操作ボタン（１０８ａ〜１０８ｅ）のうち任意の操作ボタンを示す場合には「操作ボタン１０８」を用い、接続口（１１３２ａ〜１１３２ｃ）のうち任意の接続口を示す場合には「接続口１１３２」を用いて説明する。
【００３０】
次に、アーム１２００は、トルクヒンジ１２１０を介して筐体１１００に取り付けられており、アーム１２００が筐体１１００に対して、１３５度のチルト角θ１の範囲で、上下方向に回転可能に構成されている。図４は、チルト角θ１が９０度の状態を示している。
【００３１】
カメラハウジング１３００には、後述の内蔵型のカメラ１１２が設けられており、利用者、書類、及び部屋等を撮像することができる。また、カメラハウジング１３００には、トルクヒンジ１３１０が形成されている。カメラハウジング１３００は、トルクヒンジ１３１０を介して、アーム１２００に取り付けられている。そして、カメラハウジング１３００は、トルクヒンジ１３１０を介してアーム１２００に取り付けられており、カメラハウジング１３００がアーム１２００に対して、図４で示されている状態を０度として±１８０度のパン角θ２の範囲で、且つ、±４５度のチルト角θ３の範囲で、上下左右方向に回転可能に構成されている。
【００３２】
なお、中継装置３０、伝送管理システム５０、プログラム提供システム９０、及びメンテナンスシステム１００は、それぞれ一般のサーバ・コンピュータの外観と同じであるため、外観の説明を省略する。
【００３３】
図５は、本発明の本実施形態に係る端末１０のハードウェア構成図である。図５に示されているように、本実施形態の端末１０は、端末１０全体の動作を制御するＣＰＵ(Central Processing Unit)１０１、ＩＰＬ(Initial Program Loader)等のＣＰＵ１０１の駆動に用いられるプログラムを記憶したＲＯＭ(Read Only Memory)１０２、ＣＰＵ１０１のワークエリアとして使用されるＲＡＭ(Random Access Memory)１０３、端末用プログラム、画像データ、及び音データ等の各種データを記憶するフラッシュメモリ１０４、ＣＰＵ１０１の制御にしたがってフラッシュメモリ１０４に対する各種データの読み出し又は書き込みを制御するＳＳＤ（Solid State Drive）１０５、フラッシュメモリ等の記録メディア１０６に対するデータの読み出し又は書き込み（記憶）を制御するメディアドライブ１０７、端末１０の宛先を選択する場合などに操作される操作ボタン１０８、端末１０の電源のＯＮ／ＯＦＦを切り換えるための電源スイッチ１０９、通信ネットワーク２を利用してデータ伝送をするためのネットワークＩ／Ｆ(Interface)１１１を備えている。
【００３４】
また、端末１０は、ＣＰＵ１０１の制御に従って被写体を撮像して画像データを得る内蔵型のカメラ１１２、このカメラ１１２の駆動を制御する撮像素子Ｉ／Ｆ１１３、音を入力する内蔵型のマイク１１４、音を出力する内蔵型のスピーカ１１５、ＣＰＵ１０１の制御に従ってマイク１１４及びスピーカ１１５との間で音信号の入出力を処理する音入出力Ｉ／Ｆ１１６、ＣＰＵ１０１の制御に従って外付けのディスプレイ１２０に画像データを伝送するディスプレイＩ／Ｆ１１７、図４に示されている接続口１０２１ｇに取り付けられ各種の外部機器を接続するための外部機器接続Ｉ／Ｆ１１８、端末１０の各種機能の異常を知らせるアラームランプ１１９及び上記各構成要素を図９に示されているように電気的に接続するためのアドレスバスやデータバス等のバスライン１１０を備えている。
【００３５】
ディスプレイ１２０は、被写体の画像や操作用アイコン等を表示する液晶や有機ＥＬによって構成された表示部である。また、ディスプレイ１２０は、ケーブル１２０ｃによってディスプレイＩ／Ｆ１１７に接続される。このケーブル１２０ｃは、アナログＲＧＢ（ＶＧＡ）信号用のケーブルであってもよいし、コンポーネントビデオ用のケーブルであってもよいし、ＨＤＭＩ(High-Definition Multimedia Interface)やＤＶＩ(Digital Video Interactive)信号用のケーブルであってもよい。  
【００３６】
カメラ１１２は、レンズや、光を電荷に変換して被写体の画像（映像）を電子化する固体撮像素子を含み、固体撮像素子として、ＣＭＯＳ(Complementary Metal Oxide Semiconductor)や、ＣＣＤ（Charge Coupled Device）等が用いられる。
【００３７】
外部機器接続Ｉ／Ｆ１１８には、ＵＳＢ(Universal Serial Bus)ケーブル等によって、外付けカメラ、外付けマイク、及び外付けスピーカ等の外部機器がそれぞれ接続可能である。外付けカメラが接続された場合には、ＣＰＵ１０１の制御に従って、内蔵型のカメラ１１２に優先して、外付けカメラが駆動する。同じく、外付けマイクが接続された場合や、外付けスピーカが接続された場合には、ＣＰＵ１０１の制御に従って、それぞれが内蔵型のマイク１１４や内蔵型のスピーカ１１５に優先して、外付けマイクや外付けスピーカが駆動する。
【００３８】
なお、記録メディア１０６は、端末１０に対して着脱自在な構成となっている。また、ＣＰＵ１０１の制御にしたがってデータの読み出し又は書き込みを行う不揮発性メモリであれば、フラッシュメモリ１０４に限らず、ＥＥＰＲＯＭ（Electrically Erasable and Programmable ROM）等を用いてもよい。
【００３９】
更に、上記端末用プログラムは、インストール可能な形式又は実行可能な形式のファイルで、上記記録メディア１０６等の、コンピュータで読み取り可能な記録媒体に記録して流通させるようにしてもよい。また、上記端末用プログラムは、フラッシュメモリ１０４ではなくＲＯＭ１０２に記憶させるようにしてもよい。
【００４０】
図６は、実施形態に係る中継装置、伝送管理システム、プログラム提供システム、及びメンテナンスシステムのハードウェア構成図である。ここでは。伝送管理システム５０の構成として説明する。
【００４１】
伝送管理システム５０は、伝送管理システム５０全体の動作を制御するＣＰＵ２０１、ＩＰＬ等のＣＰＵ２０１の駆動に用いられるプログラムを記憶したＲＯＭ２０２、ＣＰＵ２０１のワークエリアとして使用されるＲＡＭ２０３、伝送管理用プログラム等の各種データを記憶するＨＤ２０４、ＣＰＵ２０１の制御にしたがってＨＤ２０４に対する各種データの読み出し又は書き込みを制御するＨＤＤ(Hard Disk Drive)２０５、フラッシュメモリ等の記録メディア２０６に対するデータの読み出し又は書き込み（記憶）を制御するメディアドライブ２０７、カーソル、メニュー、ウィンドウ、文字、又は画像などの各種情報を表示するディスプレイ２０８、通信ネットワーク２を利用してデータ伝送をするためのネットワークＩ／Ｆ２０９、文字、数値、各種指示などの入力のための複数のキーを備えたキーボード２１１、各種指示の選択や実行、処理対象の選択、カーソルの移動などを行うマウス２１２、着脱可能な記録媒体の一例としてのＣＤ−ＲＯＭ(Compact Disc Read Only Memory)２１３に対する各種データの読み出し又は書き込みを制御するＣＤ−ＲＯＭドライブ２１４、及び、上記各構成要素を図６に示されているように電気的に接続するためのアドレスバスやデータバス等のバスライン２１０を備えている。
【００４２】
なお、上記伝送管理用プログラムは、インストール可能な形式又は実行可能な形式のファイルで、上記記録メディア２０６やＣＤ−ＲＯＭ２１３等のコンピュータで読み取り可能な記録媒体に記録して流通させるようにしてもよい。また、上記伝送管理用プログラムは、ＨＤ２０４ではなくＲＯＭ２０２に記憶されるようにしてもよい。
【００４３】
また、中継装置３０は、上記伝送管理システム５０と同様のハードウェア構成を有しているため、その説明を省略する。但し、ＨＤ２０４には、中継装置３０を制御するための中継装置用プログラムが記録されている。この場合も、中継装置用プログラムは、インストール可能な形式又は実行可能な形式のファイルで、上記記録メディア２０６やＣＤ−ＲＯＭ２１３等のコンピュータで読み取り可能な記録媒体に記録して流通させるようにしてもよい。また、上記中継装置用プログラムは、ＨＤ２０４ではなくＲＯＭ２０２に記憶されるようにしてもよい。
【００４４】
また、プログラム提供システム９０及びメンテナンスシステム１００は、上記伝送管理システム５０と同様のハードウェア構成を有しているため、その説明を省略する。但し、ＨＤ２０４には、プログラム提供システム９０を制御するためのプログラム提供用プログラムが記録されている。この場合も、プログラム提供用プログラムは、インストール可能な形式又は実行可能な形式のファイルで、上記記録メディア２０６やＣＤ−ＲＯＭ２１３等のコンピュータで読み取り可能な記録媒体に記録して流通させるようにしてもよい。また、上記プログラム提供システム用プログラムは、ＨＤ２０４ではなくＲＯＭ２０２に記憶されるようにしてもよい。
【００４５】
なお、上記着脱可能な記録媒体の他の例として、ＣＤ−Ｒ(Compact Disc Recordable)、ＤＶＤ(Digital Versatile Disk)、ブルーレイディスク等のコンピュータで読み取り可能な記録媒体に記録して提供するように構成してもよい。
【００４６】
＜＜実施形態の機能構成＞＞
次に、本実施形態の機能構成について説明する。図７は、本実施形態の伝送システム１を構成する伝送端末及び伝送管理システムの機能ブロック図である。図７では、端末１０及び伝送管理システム５０が、通信ネットワーク２を介してデータ通信することができるように接続されている。また、図１に示されているプログラム提供システム９０は、テレビ会議の通信において直接関係ないため、図７では省略されている。
【００４７】
＜端末の機能構成＞
端末１０は、送受信部１１、操作入力受付部１２、ログイン要求部１３、撮像部１４、音入力部１５ａ、音出力部１５ｂ、表示制御部１６、宛先リスト作成部１７、判断部１８及び記憶・読出処理部１９を有している。これら各部は、図５に示されている各構成要素のいずれかが、フラッシュメモリ１０４からＲＡＭ１０３上に展開された端末用プログラムに従ったＣＰＵ１０１からの命令によって動作することで実現される機能、又は機能される手段である。
【００４８】
また、端末１０は、図５に示されているフラッシュメモリ１０４によって構築される記憶部１０００を有している。この記憶部１０００には、図１２に示されている後述の宛先リスト画面の枠部分（後述の各選択領域部分以外の部分）を示す宛先枠データが記憶されている。
【００４９】
（宛先リスト管理テーブル）
更に、記憶部１０００には、図８に示されているような宛先リスト管理テーブルによって構成されている宛先リスト管理ＤＢ１００１が構築されている。この宛先リスト管理テーブルでは、宛先候補として登録されている宛先端末のＩＰアドレス、宛先候補として登録されている宛先端末の名称を示す宛先名、及び登録番号が関連付けられて管理される関連情報である。例えば、図８に示されている宛先リスト管理テーブルにおいて、宛先候補のＩＰアドレスが「１．２．１．４」、宛先名が「理光部長」、及び登録番号が「１」となるレコードが示されている。
【００５０】
（端末の各機能構成）
次に、図５及び図７を用いて、端末１０の各機能構成について詳細に説明する。なお、以下では、端末１０の各機能構成部を説明するにあたって、図５に示されている各構成要素のうち、端末１０の各機能構成部を実現させるための主な構成要素との関係も説明する。
【００５１】
図７に示されている端末１０の送受信部１１は、図５に示されているＣＰＵ１０１からの命令、及び図５に示されているネットワークＩ／Ｆ１１１によって実現され、通信ネットワーク２を介して他の端末、装置又はシステムと各種データ（または情報）の送受信を行う。
【００５２】
操作入力受付部１２は、図５に示されているＣＰＵ１０１からの命令、並びに図５に示されている操作ボタン１０８及び電源スイッチ１０９によって実現され、利用者による各種入力又は各種選択を受け付ける。例えば、利用者が、図５に示されている電源スイッチ１０９をＯＮにすると、図７に示されている操作入力受付部１２が電源ＯＮを受け付けて、電源をＯＮにする。
【００５３】
ログイン要求部１３は、図５に示されているＣＰＵ１０１からの命令によって実現され、上記電源ＯＮの受け付けを契機として、送受信部１１から通信ネットワーク２を介して伝送管理システム５０に、ログインの認証を要求するためのログイン要求及び通信を開始するための開始要求を送信する。
【００５４】
撮像部１４は、図５に示されているＣＰＵ１０１からの命令、並びに図５に示されているカメラ１１２及び撮像素子Ｉ／Ｆ１１３によって実現され、被写体を撮像して、この撮像して得た画像データを出力する。
【００５５】
音入力部１５ａは、図５に示されているＣＰＵ１０１からの命令、及び図５に示されている音入出力Ｉ／Ｆ１１６によって実現され、マイク１１４によって利用者の音が音信号に変換された後、この音信号に係る音データを入力する。音出力部１５ｂは、図５に示されているＣＰＵ１０１からの命令、及び図５に示されている音入出力Ｉ／Ｆ１１６によって実現され、音データに係る音信号をスピーカに出力し、スピーカ１１５から音を出力させる。
【００５６】
表示制御部１６は、図５に示されているＣＰＵ１０１からの命令、及び図５に示されているディスプレイＩ／Ｆ１１７によって実現され、外付けのディスプレイ１２０に対して画像データを送信するための制御を行う。
【００５７】
宛先リスト作成部１７は、記憶部１０００から読み出された宛先リスト枠データ及び宛先リスト管理テーブル（図８参照）の各情報に基づいて、図１２又は図１５に示されているような宛先リスト画面の作成及び更新を行う。
【００５８】
判断部１８は、図１２又は図１５に示されている宛先リスト画面上に表示されている複数の選択領域のうち、利用者によって選択された特定の選択領域に表示されているＩＰアドレスが、既に宛先リスト管理ＤＢに記憶されているかを判断することで、既に宛先候補として登録済みかを判断する。
【００５９】
また、記憶・読出処理部１９は、図５に示されているＣＰＵ１０１からの命令、及び図５に示すＳＳＤ１０５によって実行され、記憶部１０００に各種データを記憶したり、性記憶部１０００に記憶された各種データを読み出す処理を行う。この記憶部１０００には、自端末１０を識別するための端末ＩＤ(Identification）、及びパスワード等が記憶される。この記憶部１０００には、宛先端末との通話を行う際に受信される画像データ及び音データが、受信される度に上書き記憶される。このうち、上書きされる前の画像データによってディスプレイ１２０に画像が表示され、上書きされる前の音データによってスピーカ１５０から音が出力される。
【００６０】
なお、本実施形態の端末ＩＤは、それぞれ端末１０を一意に識別するために使われる言語、文字、記号、又は各種のしるし等の識別情報を示す。また、端末ＩＤは、上記言語、文字、記号、及び各種のしるしのうち、少なくとも２つが組み合わされた識別情報であってもよい。
【００６１】
＜伝送管理システムの機能構成＞
伝送管理システム５０は、送受信部５１、認証部５２、及び記憶・読出処理部５９を有している。これら各部は、図６に示されている各構成要素のいずれかが、ＨＤ２０４からＲＡＭ２０３上に展開された管理システム用プログラムに従ったＣＰＵ２０１からの命令によって動作することで実現される機能又は機能される手段である。また、伝送管理システム５０は記憶部５０００を有しており、この記憶部５０００は図６に示されているＨＤ２０４により構築されている。
【００６２】
（認証管理テーブル）
記憶部５０００には、図９に示されているような認証管理テーブルによって構成されている認証管理ＤＢ５００１が構築されている。この認証管理テーブルでは、伝送管理システム５０によって管理される全ての端末１０の各端末ＩＤに対して、各パスワードが関連付けられた関連情報が管理される。例えば、図９に示されている認証管理テーブルにおいて、端末１０ａａの端末ＩＤは「０１ａａ」で、パスワードは「ａａａａ」であることが示されている。
【００６３】
（伝送管理システムの各機能構成）
次に、伝送管理システム５０の各機能構成について詳細に説明する。なお、以下では、伝送管理システム５０の各機能構成部を説明するにあたって、図６に示されている各構成要素のうち、伝送管理システム５０の各機能構成部を実現させるための主な構成要素との関係も説明する。
【００６４】
送受信部５１は、図６に示されているＣＰＵ２０１からの命令、及び図６に示されているネットワークＩ／Ｆ２０９によって実行され、通信ネットワーク２を介して他の端末、装置又はシステムと各種データ（または情報）の送受信を行う。
【００６５】
認証部５２は、図６に示されているＣＰＵ２０１からの命令によって実現され、送受信部５１を介して受信されたログイン要求に含まれている端末ＩＤ及びパスワードを検索キーとし、記憶部５０００の認証管理ＤＢ５００１を検索し、認証管理ＤＢ５００１に同一の組の端末ＩＤ及びパスワードが管理されているかを判断することによって端末認証を行う。
【００６６】
記憶・読出処理部５９は、図６に示されているＣＰＵ２０１からの命令、及び図６に示されているＨＤＤ２０５によって実行され、記憶部５０００に各種データを記憶したり、不揮発性記憶部５０００に記憶された各種データを読み出す処理を行う。
【００６７】
＜＜実施形態の処理または動作＞＞
次に、図１０乃至図１５を用いて、本実施形態の処理または動作を説明する。ここでは、端末１０ａａと端末１０ｄａとの間で、通話を開始する前の準備段階における各管理情報の送受信処理について説明する。図１０は、伝送端末間で通話を開始する準備段階の処理を示したシーケンス図である。なお、図１０では、全て管理情報用セッションｓｅｉによって、各種管理情報が送受信される処理が示されている。
【００６８】
まず、利用者が、図５に示されている電源スイッチ１０９をＯＮにすると、図７に示されている操作入力受付部１２が電源ＯＮを受け付けて、電源をＯＮにする（ステップＳ２１）。そして、ログイン要求部１３は、上記電源ＯＮの受け付けを契機とし、送受信部１１から通信ネットワーク２を介して伝送管理システム５０に、ログイン要求を自動的に送信する（ステップＳ２２）。このログイン要求には、自端末１０ａａとしての開始端末を識別するための端末ＩＤ、及びパスワードが含まれている。これら端末ＩＤ、及びパスワードは、記憶・読出処理部１９を介して記憶部１０００から読み出されて、送受信部１１に送られたデータである。なお、端末１０ａａから伝送管理システム５０へログイン要求が送信される際は、受信側である伝送管理システム５０は、送信側である端末１０ａａのＩＰアドレスを取得することができる。
【００６９】
次に、伝送管理システム５０の認証部５２は、送受信部５１を介して受信したログイン要求に含まれている端末ＩＤ及びパスワードを検索キーとして、記憶部５０００の認証管理ＤＢ５００１（図９参照）を検索し、認証管理ＤＢ５００１に同一の端末ＩＤ及び同一のパスワードが管理されているかを判断することによって端末認証を行う（ステップＳ２３）。この認証部５２によって、同一の端末ＩＤ及び同一のパスワードが管理されているため、正当な利用権限を有する端末１０からのログイン要求であると判断された場合には、送受信部５１は、上記認証部５２によって得られた認証結果が示された認証結果情報を、通信ネットワーク２を介して、上記ログイン要求してきた開始端末（端末１０ａａ）に送信する（ステップＳ２４）。本実施形態では、認証部５２によって正当な利用権限を有する端末であると判断された場合につき、以下続けて説明する。
【００７０】
開始端末（端末１０ａａ）では、正当な利用権限を有する端末であると判断された結果が示された認証結果情報を受信すると、宛先の選択受付処理を行う（ステップＳ２５）。ここで、図１０乃至図１５を用いて、宛先の選択受付処理を詳細に説明する。なお、図１１は、宛先の選択受付処理を示したフロー図である。
【００７１】
まず、開始端末（端末１０ａａ）の宛先リスト作成部１７は、記憶部１０００に記憶されている宛先枠データ及び宛先リスト管理ＤＢ１００１で管理されている関連情報に基づいて宛先リストを作成する（ステップＳ２５−１）。そして、表示制御部１６が、図５に示されているディスプレイ１２０に対して、宛先リストに基づく宛先リスト画面を表示する（ステップＳ２５−２）。
【００７２】
なお、宛先リスト画面には、図１３に示されているように、宛先リスト枠中に、複数の選択領域が表示されている。各選択領域は、第１の選択領域と第２の選択領域とに分類される。第１の選択領域は、図１３では、上から１番目と２番目の選択領域であり、左から登録番号、宛先候補のＩＰアドレス、及び宛先候補の宛先名が表示されている。第１の選択領域に表示された内容には、図１０に示されている宛先リスト管理テーブルの内容が反映されている。第２の選択領域は、図１３では、上から３番目と４番目の選択領域であり、左側に登録番号が表示されているが、ＩＰアドレス及び宛先名が表示されず、宛先候補が未登録であるため通信を開始する際には宛先の入力を促す旨が表示されている。例えば、図１３では、図１０に示された宛先リスト管理テーブルの内容が反映された、登録番号「１」、「２」の２つの第１の選択領域が表示されている。また、登録番号「３」、「４」の２つの第２の選択領域が表示されている。これら第２の選択領域には、「宛先を入力して通信開始（宛先候補として未登録）」と表示されている。
【００７３】
次に、利用者が所望の選択領域を選択すると、操作入力受付部１２は、選択領域の選択を受け付ける（ステップＳ２５−３）。そして、判断部１８は、操作入力受付部１２によって受け付けられた選択領域に表示されている各情報（登録番号、ＩＰアドレス、宛先名）が、図８に示されている宛先リスト管理テーブルに、宛先候補として登録済みかを判断する（ステップＳ２５−４）。そして、登録済みと判断された場合（ＹＥＳ）、表示制御部１６は、ディスプレイ１２０上に、図１３に示されているような通信開始受付画面を表示させる（ステップＳ２５−５）。この通信開始受付画面には、宛先候補のうち実際に通信を開始させる宛先端末のＩＰアドレスを表示及び入力するためのＩＰアドレス欄、宛先端末の名称である宛先名を表示及び入力するための宛先名欄、キーボード領域、「宛先候補登録・通信開始」ボタン、及び「キャンセル」ボタンが表示されている。仮に、上記ステップＳ２５−３において、図１２に示されている登録番号「１」の選択領域の選択が受け付けられた場合には、図１３に示されている宛先端末のＩＰアドレス欄には、ＩＰアドレス「１．２．１．４」が表示され、宛先名欄には「理光部長」が表示される。
【００７４】
次に、利用者によって「宛先候補登録・通信開始」ボタンが押下されると、記憶・読出処理部１９は、宛先端末のＩＰアドレス欄に表示されているＩＰアドレス、及び宛先名欄に表示されている宛先名を、上記ステップＳ２５−３によって選択が受付された選択領域の登録番号に関連付けて、再度、図８に示されている宛先リスト管理テーブルに上書きして登録する（ステップＳ２５−６）。また、「キャンセル」ボタンが押下されると、図１１に示されている宛先の選択受付処理が終了する。なお、「キャンセル」が押下されると、上記ステップＳ２５−２の処理に戻ってもよい。
【００７５】
ところで、上記ステップＳ２５−４において、登録済みではないと判断された場合（ＮＯ）、表示制御部１６は、ディスプレイ１２０上に、図１３に示されているような通信開始受付画面を表示させる（ステップＳ２５−７）。
【００７６】
この場合、宛先端末のＩＰアドレス欄に表示されているＩＰアドレス、及び宛先名欄には何も表示されていない。ここで、利用者が、例えば、端末１０ｄａと通信したい場合には、利用者は、図１３に示されているキーボートを利用して、図１３に示されているように、宛先端末のＩＰアドレス欄に端末ｄａのＩＰアドレス「１．３．２．３」を入力し、宛先名欄に端末ｄａの宛先名「社長」を入力する。この場合、宛先名欄には、利用者が、自分で管理又は記憶しやすい文字や記号等を入力することができる。これにより、操作入力受付部１２は、新たに、ＩＰアドレス及び宛先名の入力を受け付ける（ステップＳ２５−８）。
【００７７】
そして、上記ステップＳ２５−６の処理に進む。この場合、上記ステップＳ２５−３において、図１２に示されている登録番号「３」の選択領域の選択が受け付けられていた場合には、ステップＳ２５−６において、記憶・読出処理部１９が、図１４に示されているように、宛先リスト管理テーブルに、新たに、ＩＰアドレス「１．３．２．３」、宛先名「社長」、及び登録番号「３」のレコードを追加して登録する。即ち、利用者が図１３に示されている「宛先候補登録・通信開始」ボタンを押下すると、新たな宛先候補のＩＰアドレス及び宛先名が宛先管理テーブルに登録されると共に、このＩＰアドレスの宛先端末に対して通信の開始要求が行われる。これにより、次回は、上記ステップＳ２５−２において、表示制御部１６がディスプレイ１２０ａａ上に、図１５に示されているような宛先リスト画面を表示させることができる。図１５に示されている宛先リスト画面上には、図１２に示されている宛先リスト画面に対して、登録番号「３」の選択領域が新たに第１の選択領域となり、ＩＰアドレス及び宛先名が表示される。そして、今後は、この登録番号「３」の選択領域が選択された場合には、上記ステップＳ２５−４からステップＳ２５−５の処理へ進むことになる。
【００７８】
以上により、図１０におけるステップＳ２５の宛先の選択受付処理が終了する。
【００７９】
続いて、送受信部１１は、通信ネットワーク２を介して伝送管理システム５０へ、宛先端末との通信を開始する旨を示す開始要求を送信する（ステップＳ２６）。この開始要求には、上記ステップＳ２５−６の処理で登録された宛先端末のＩＰアドレスが含まれている。なお、端末１０ａａから伝送管理システム５０へ送信側である端末１０ａａのＩＰアドレスも送信される。これにより、伝送管理システム５０の送受信部５１は、開始要求及び開始端末である端末１０ａａのＩＰアドレスを受信する。
【００８０】
次に、送受信部５１は、受信した宛先端末のＩＰアドレスで示される宛先端末（端末１０ｄａ）に開始要求を送信する。この開始要求には、開始端末（端末１０ａａ）のＩＰアドレスが含まれている。これにより、宛先端末側では、開始端末のＩＰアドレスを取得することができるため、開始端末及び宛先端末の間で通信（通話）を行うことができる。
【００８１】
なお、上述の各ＩＰアドレスは、宛先情報の一例であり、この宛先情報には、他にホスト名も含まれる。
【００８２】
＜＜実施形態の主な効果＞＞
（１）以上説明したように本実施形態の伝送端末１０は、特定の宛先候補の通信ネットワーク２における宛先を示す特定の宛先情報の入力を受け付け（ステップＳ２５−８参照）、この受け付けられた特定の宛先情報に基づいて、この特定の宛先情報で示される特定の宛先候補との通信を開始する(ステップＳ２６参照)。更に、伝送端末１０は、入力を受け付けた特定の宛先情報を記憶部１０００に記憶する（ステップＳ２５−６参照）。これにより、利用者によって新たに入力された特定の宛先情報に基づいて、特定の宛先候補との通信が開始されるだけでなく、特定の宛先情報が記憶部１０００に記憶されるため、利用者が次回に特定の宛先候補との通信を開始したい場合には、わざわざ特定の宛先情報を入力せずに、記憶部１０００に記憶されている特定の宛先情報を選択すればよいため、利用者が不便を感じないで済むという効果を奏する。
【００８３】
（２）また、伝送端末１０は、入力を受け付けた特定の宛先情報を記憶部１０００に記憶する際に、入力を受け付けられた特定の宛先情報で示される特定の宛先候補との通信の開始を受け付ける(ステップＳ２５−６参照)。そして、伝送端末１０は、開始が受け付けられた特定の宛先情報で示される特定の宛先候補との通信を開始する（ステップＳ２６参照）。これにより、利用者による一度の入力処理により、特定の宛先情報の記憶と、特定の宛先候補との通信の開始とをまとめて（又は同時に）行うことができるため、伝送端末１０の操作性が向上するという効果を奏する。
【００８４】
（３）更に、伝送端末１０は、所定の宛先情報が示された第１の選択領域及び所定の宛先情報が示されていない第２の選択領域をディスプレイ１２０等の表示手段に表示させる（ステップＳ２５−２参照）。そして、伝送端末１０は、第１又は第２の選択領域の選択を受け付ける（ステップＳ２５−３参照）。また、伝送端末１０は、第２の選択領域の選択が受け付けられた場合には、特定の宛先情報が入力されるための入力欄を表示手段に表示させる(ステップＳ２５−７参照)。更に、伝送端末１０は、入力欄に入力された特定の宛先情報の入力を受け付ける（ステップＳ２５−８）。これにより、所定の宛先情報が示されていない第２の選択領域の選択が受け付けられた場合には、伝送端末１０は入力欄を表示させるため、利用者は、新たに宛先情報を入力すればよいということを容易に把握することができるという効果を奏する。
【００８５】
（４）また、伝送端末１０は、特定の宛先情報だけでなく、特定の宛先候補の名称である特定の宛先名の入力を受け付ける（ステップＳ２５−８）。そして、伝送端末１０は、受け付けられた特定の宛先情報と特定の宛先名とが関連付けられた特定の関連情報を記憶部１０００に記憶する（ステップＳ２５−６）。これにより、利用者が、次回に宛先情報を選択する際に、宛先名を参考にすることができるため、誤って所望外の特定の宛先情報を選択する可能性が少なくなるという効果を奏する。
【００８６】
〔実施形態の補足〕
なお、上記各実施形態における中継装置３０、伝送管理システム５０、伝送端末管理システム８０、プログラム提供システム９０、及びメンテナンスシステム１００は、単一のコンピュータによって構築されてもよいし、各部（機能又は手段）を分割して任意に割り当てられた複数のコンピュータによって構築されていてもよい。また、プログラム提供システム９０が単一のコンピュータによって構築されている場合には、プログラム提供システム９０によって送信されるプログラムは、複数のモジュールに分けて送信されるようにしてもよいし、分けないで送信されるようにしてもよい。更に、プログラム提供システム９０が複数のコンピュータによって構築されている場合には、複数のモジュールが分けられた状態で、各コンピュータから送信されるようにしてもよい。
【００８７】
また、上記本実施形態の端末用プログラム、中継装置用プログラム、伝送管理用プログラム、又は伝送端末管理システム用プログラムが記憶された記録媒体、並びに、これらプログラムが記憶されたＨＤ２０４、及びこのＨＤ２０４を備えたプログラム提供システム９０は、いずれもプログラム製品(Program Product)として、国内又は国外へ、上記端末用プログラム、中継装置用プログラム、伝送管理用プログラム、及び伝送端末管理システム用プログラムが利用者等に提供される場合に用いられる。
【００８８】
また、上記実施形態では、伝送システム１の一例として、テレビ会議システムの場合について説明したが、これに限るものではなく、ＩＰ(Internet Protocol)電話や、インターネット電話等の電話システムであってもよい。また、伝送システム１は、カーナビゲーションシステムであってもよい。この場合、例えば、端末１０の一方が自動車に搭載されたカーナビゲーション装置に相当し、端末１０の他方が、カーナビゲーションを管理する管理センターの管理端末若しくは管理サーバ、又は他の自動車に搭載されているカーナビゲーション装置に相当する。
【００８９】
更に、伝送システム１は、携帯電話機の通信システムであってもよい。この場合、例えば、端末１０は携帯電話機に相当する。
【００９０】
また、上記実施形態では、コンテンツデータの一例として、視覚(sight)データとしての画像データ、及び聴覚(hearing)データとしての音データについて説明したが、これに限るものではなく、その他の五感データであってもよい、例えば、コンテンツデータが触覚(touch)データの場合、一方の端末側でユーザが接触して得た感覚が、他方の端末側に伝達される。更に、コンテンツデータが嗅覚（smell）データの場合、一方の端末側の匂い（臭い）が、他の端末側に伝達される。また、コンテンツデータが味覚(taste)データの場合、一方の端末側の味覚が、他の端末側に伝達される。
【００９１】
更に、コンテンツデータは、画像（視覚）データ、音（聴覚）データ、触覚データ、嗅覚データ、及び味覚データのうち、少なくとも１つのデータであればよい。
【００９２】
また、上記実施形態では、伝送システム１によってテレビ会議をする場合について説明したが、これに限るものではなく、打ち合わせ、家族間や友人間等の一般的な会話、又は、一方向での情報の提示に使用されても構わない。
【符号の説明】
【００９３】
１０  伝送端末
１１  送受信部（通信開始手段の一例）
１２  操作入力受付部（入力受付手段の一例、開始受付手段の一例、選択受付手段の一例）
１３  ログイン要求部
１４  撮像部
１５ａ  音入力部
１５ｂ  音出力部
１６  表示制御部（表示制御手段の一例）
１７  宛先リスト作成部
１８  判断部
１９  記憶・読出処理部
５０  伝送管理システム
５１  送受信部
５２  認証部
５９  記憶・読出処理部
１２０  ディスプレイ（表示手段の一例）
１０００  記憶部（記憶手段の一例）
１００１  宛先リスト管理ＤＢ
５０００  記憶部
５００１  認証管理ＤＢ
【先行技術文献】
【特許文献】
【００９４】
【特許文献１】特開２００６−０７４４５３号公報
【図１】
2015056860.tif 000003
【図２】
2015056860.tif 000004
【図３】
2015056860.tif 000005
【図４】
2015056860.tif 000006
【図５】
2015056860.tif 000007
【図６】
2015056860.tif 000008
【図７】
2015056860.tif 000009
【図８】
2015056860.tif 000010
【図９】
2015056860.tif 000011
【図１０】
2015056860.tif 000012
【図１１】
2015056860.tif 000013
【図１２】
2015056860.tif 000014
【図１３】
2015056860.tif 000015
【図１４】
2015056860.tif 000016
【図１５】
2015056860.tif 000017